(57)【要約】      （修正有）【課題】重量のある原稿を原稿台に載置した場合に生ずる、原稿台ガラスの歪みによって、正常な画像読取ができない異常を適切に処理する画像読取装置を提供する。【解決手段】読取対象物を読み取って読取信号を出力する読取手段と、原稿が載置される原稿台に設けられた基準部材を読み取った値が所定の範囲であるか否かを判定する判定手段と、前記判定手段が所定の範囲でないと判定された場合には、原稿台の歪みにより正常な読み取りができる状態にないことをユーザへ報知する。【選択図】図１０
2015133542.tif 000002
【特許請求の範囲】
【請求項１】
読取対象物を読み取って読取信号を出力する読取手段と、
原稿が載置される原稿台に設けられた基準部材を前記読取手段が読み取った値が所定の範囲であるか否かを判定する判定手段と、
前記判定手段が所定の範囲でないと判定した場合、前記原稿台の歪みに起因する状態であることをユーザへ報知する報知手段と、
を備えることを特徴とする画像読取装置。
【請求項２】
前記判定手段は、前記基準部材の読み取り結果により決定される利得補正値に基づいて、前記読取手段が読み取った値が所定の範囲であるか否かを判定することを特徴とする請求項１に記載の画像読取装置。
【請求項３】
前記読取手段は、前記判定手段によって所定の範囲であると判定された場合、光源から前記原稿台上の前記原稿を照射し、前記原稿からの反射光を読み取って前記原稿の画像情報を取得することを特徴とする請求項１又は２に記載の画像読取装置。
【請求項４】
前記基準部材は、第１の基準部材であり、
前記第１の基準部材とは異なる位置に設けられた第２の基準部材と前記第１の基準部材とを前記読取手段に読み取らせて、前記第１の基準部材から得られる読取値と、前記第２の基準部材から得られる読取値との差を取得する取得手段と、
前記取得手段により取得された差が所定の範囲であるか否かを判定する差判定手段と、をさらに備え、
前記判定手段によって所定の範囲でないと判定され、前記差判定手段によって所定の範囲でないと判定された場合に、前記報知手段は、前記原稿台の歪みに起因する状態であることをユーザへ報知する、ことを特徴とする請求項１乃至３のいずれか１項に記載の画像読取装置。
【請求項５】
前記第２の基準部材は、前記第１の基準部材が設けられた位置よりも構造的な強度が高い位置に設けられていることを特徴とする請求項４に記載の画像読取装置。
【請求項６】
前記報知手段は、表示部にエラーの発生を警告する警告画面を表示することを特徴とする請求項１乃至５のいずれか１項に記載の画像読取装置。
【請求項７】
前記報知手段は、前記読取手段による読取実行の指示を受け付けるための画面を前記表示部にさらに表示することを特徴とする請求項６に記載の画像読取装置。
【請求項８】
前記読取手段は、前記読取手段による読取実行の指示を受け付けると、前記第１の基準部材を読み取り、所定の画質の読取信号を出力するための利得補正値を取得することを特徴とする請求項７に記載に画像読取装置。
【請求項９】
読み取り対象物を読み取って読取信号を出力する読取手段と、
原稿が載置される原稿台に設けられた基準部材を前記読取手段が読み取った値が所定の範囲であるか否かを判定し、当該所定の範囲にない場合には、当該判定結果が前記原稿台の歪みに起因するものであるか否かを判定する判定手段と、
を備えることを特徴とする画像読取装置。
【請求項１０】
請求項１乃至９のいずれか１項に記載の画像読取装置と、
前記画像読取装置にて読み取った原稿画像をシートに形成する画像形成部と、
を備えることを特徴とする画像形成装置。
【請求項１１】
読取対象物を読み取って読取信号を出力する読取手段を備える画像読取装置において実行される制御方法であって、
原稿が載置される原稿台に設けられた基準部材を前記読取手段が読み取った値が所定の範囲であるか否かを判定する判定工程と、
前記判定工程において所定の範囲でないと判定された場合、前記原稿台の歪みに起因する状態であることをユーザへ報知する報知工程と、
を有することを特徴とする制御方法。
【請求項１２】
請求項１１に記載の制御方法の各工程をコンピュータに実行させるためのプログラム。
【発明の詳細な説明】
【技術分野】
【０００１】
本発明は、原稿画像を光学的に読み取る画像読取装置、制御方法およびプログラムに関する。
【背景技術】
【０００２】
従来から、原稿画像を読み取る画像読取装置は、イメージ・スキャナ及び複写機の一部として使用されている。画像読取装置で使用されるＣＣＤイメージセンサ又は密着型イメージセンサ等で読み取られた画像信号は、一般的に、シェーディングと呼ばれる出力歪みを含んでいる。この出力歪みの原因として、光源の光量分布の不均一性、レンズの性質上、画角に対応した周辺光量低下、光学系の透過光量のばらつきによる不均一性、センサそのものの感度ムラ、ＣＣＤイメージセンサの転送効率に起因する一走査線終端方向に対する出力低下等が挙げられる。
【０００３】
これらの出力歪みを取り除くために、予め基準面を読み取り、その読取値を使ってイメージセンサの出力画像信号の歪みを補正するシェーディング補正技術（図１３のａ〜ｃ）が知られている。また、基準面は、均一白色の白色基準板であり、原稿読取りに先立ち、センサ（イメージセンサ又はラインセンサ）は均一白色の白色基準板を読み取り、その読取値を使って利得補正値を上げて画像全体を読み取ることで、イメージセンサの出力画像信号の歪みを補正するシェーディング補正を行う（特許文献１）。
【先行技術文献】
【特許文献】
【０００４】
【特許文献１】特開平１０−３１７６９号公報
【発明の概要】
【発明が解決しようとする課題】
【０００５】
しかしながら、白色基準板は、原稿台上の原稿突き当て部側に配置されることが多く、原稿突き当て部側は、構造上、白色基準板側のガラスの支えが弱くなっている。そのため、ブック原稿を読み取るときなどに原稿台ガラス面に強い押圧が加わると、図１４のように、原稿突き当て部１０４側の白色基準板１０１側の原稿ガラスが歪むことで原稿ガラス裏面に貼り付けている白色基準板も歪んでしまう（図１４−ａ）。その結果、原稿ガラス面上に置かれた原稿を読み取ったときの出力画像信号の輝度値の均一性がなくなり、ＣＣＤイメージセンサ又は密着型イメージセンサに入射される光が減少し、白色基準板の読取値が減少する。これにより、読取画像の白レベルが低下してしまう。この白レベルの低下は、原稿台ガラス面に加わる押圧に因るものであるにも関わらず、異常と判断してしまう場合があった。そして、異常のために読取動作を禁止させるなどの処理を行ったり、異常からの復帰のために画像形成装置自体の再起動を要求してしまうことがあった。
【０００６】
本発明の目的は、このような従来の問題点を解決することにある。上記の点に鑑み、本発明は、画像読取の異常を適切に処理する画像読取装置、制御方法およびプログラムを提供することを目的とする。
【課題を解決するための手段】
【０００７】
上記課題を解決するため、本発明に係る画像読取装置は、読取対象物を読み取って読取信号を出力する読取手段と、原稿が載置される原稿台に設けられた基準部材を前記読取手段が読み取った値が所定の範囲であるか否かを判定する判定手段と、前記判定手段によって所定の範囲でないと判定された場合、前記原稿台の歪みに起因する状態であることをユーザへ報知する報知手段と、を備えることを特徴とする。
【発明の効果】
【０００８】
本発明によれば、画像読取の異常を適切に処理することができる。
【図面の簡単な説明】
【０００９】
【図１】画像形成装置の全体構成を示すブロック図である。
【図２】図１の操作部の詳細平面図である。
【図３】画像読取装置の概略構成を示す図である。
【図４】画像読取装置の画像処理系の構成を示すブロック図である。
【図５】第１実施形態の画像読取装置の原稿台ガラスを上から見た図である。
【図６】第２実施形態の画像読取装置の原稿台ガラスを上から見た図である。
【図７】その他の実施形態の画像読取装置の原稿台ガラスを上から見た図である。
【図８】原稿台ガラスの押圧が弱い時の様子を示す図である。
【図９】原稿台ガラスの押圧が強い時の様子を示す図である。
【図１０】画像読取装置の制御処理の手順を示す図である。
【図１１】画像読取装置の制御処理の手順を示す他の図である。
【図１２】警告画面の一例を示す図である。
【図１３】従来のシェーディング補正技術を示す図である。
【図１４】原稿台ガラス面の押圧が強い状態の場合を説明する図である。
【発明を実施するための形態】
【００１０】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
［第１の実施形態］
図１は、本発明の実施形態における画像形成装置の全体構成を示すブロック図である。画像形成装置１００は、図１に示すように、画像読取装置（画像入力装置）２００と、プリンタ部３００と、制御装置１１０とを含む。画像読取装置２００は、原稿画像を光学的に読み取り、画像データを生成する。画像読取装置２００は、原稿台上に置かれた原稿等の読取対象物を読み取るための画像読取ユニット２１０と、原稿を搬送するための自動原稿供給ユニット（ＡＤＦ）２５０とを含む。
【００１２】
プリンタ部（画像出力装置）３００は、シートとしての記録紙Ｐ（記録媒体）を画像形成位置まで搬送し、記録紙上に画像データを可視画像として印刷して装置外に排出する。プリンタ部３００は、複数種類の記録紙カセットを有する給紙ユニット３６０と、画像データを記録紙に転写、定着させるためのマーキングユニット３２０と、印刷された記録紙を装置外へ排紙するための排紙ユニット３３０と、フィニッシャ５００とを含む。なお、フィニッシャ５００は、例えばステープル処理およびソート処理を印刷された記録紙に対して実行する。
【００１３】
制御装置１１０は、画像読取装置２００およびプリンタ部３００を制御可能である。また、制御装置１１０は、ネットワーク（以下、ＬＡＮという）７００を介して、外部のホストコンピュータ（ＰＣ）７０１及び７０２と相互に通信可能に接続されている。制御装置１１０は、ＦＡＸ回線１２８と接続されるモデム（不図示）を内蔵している。
【００１４】
制御装置１１０は、画像形成装置１００の複写機能を実行する場合、原稿を読み取って画像データを生成するよう画像読取装置２００を制御し、その画像データを記録紙に印刷するようプリンタ部３００を制御する。また、制御装置１１０は、画像形成装置１００のスキャン機能を実行する場合、原稿を読み取って生成された画像データをコードデータに変換し、ＬＡＮ７００を介してホストコンピュータ７０１や７０２へ送信するよう画像読取装置２００を制御する。また、制御装置１１０は、画像形成装置１００のプリント機能を実行する場合、ホストコンピュータ７０１や７０２からＬＡＮ７００を介して受信したコードデータを画像データに変換し、記録紙に印刷するようプリンタ部３００を制御する。制御装置１１０は、操作部１５０にも接続されている。操作部１５０は、例えば、液晶タッチパネルなどの表示部を備え、画像形成装置１００の各機能の実行指示をユーザから受け付けることができる。
【００１５】
図２は、図１の操作部１５０の詳細平面図である。操作部１５０は、主なモード設定、状況表示を行うためのＬＣＤタッチパネル６００と、各種キー６０１〜６０８、６１０〜６１５と、ソフト電源スイッチ６０９と、各種ＬＥＤ６１６〜６１８とを含む。
【００１６】
キー６０１は、０〜９の数値を入力するためのテンキーである。キー６０２は、ＩＤキーであり、装置が部門管理されている場合に、ユーザが部門番号と暗証モードとを入力する際に使用される。キー６０３は、設定されたモードをリセットするためのリセットキーである。キー６０４は、各モードについての説明画面を表示するためのガイドキーである。キー６０５は、ユーザモード画面を表示するためのユーザモードキーである。キー６０６は、割り込みコピーを行うための割り込みキーである。キー６０７は、コピー動作をスタートさせるためのスタートキーである。キー６０８は、コピージョブ等、実行中のジョブを中止させるためのストップキーである。
【００１７】
ソフト電源スイッチ６０９は、装置を省電力状態にするためのスイッチである。ソフト電源スイッチ６０９は、ユーザによって押下されると、ＬＣＤタッチパネル６００のバックライトを消して、装置を省電力状態にする。キー６１０は、節電キーであり、ユーザによって押下されると、装置が節電状態になり、再度押下されると、装置が節電状態から復帰する。
【００１８】
ファンクションキー６１１、６１２、６１３は、コピー、ボックス、拡張機能に移行させるためのキーである。図２のＬＣＤタッチパネル６００は、ユーザがファンクションキー６１１を押下したときの標準画面であり、ユーザが他のファンクションキー６１２、６１３を押下すると、各キーに対応した機能の標準画面が表示される。キー６１４は、ＬＣＤタッチパネル６００のコントラストを調整するための調整キーである。キー６１５は、カウンタ確認キーであり、ユーザがこのキーを押下すると、それまでに使用したコピーの集計枚数を表示するカウント画面がＬＣＤタッチパネル６００に表示される。ＬＥＤ６１６は、ジョブの実行中や、画像メモリへの画像蓄積中を示すＬＥＤである。ＬＥＤ６１７は、ジャム、ドアオープンなど、装置がエラー状態にあることを示すＬＥＤである。ＬＥＤ６１８は、装置のメインスイッチがＯＮになっていることを示すＬＥＤである。
【００１９】
図３は、画像読取装置２００の概略構成を示す図である。画像読取ユニット２１０は、原稿に光を照射するための光源としての照明部材２１０−ａ、複数のミラー２１０−ｂ及び結像レンズ２１０−ｃで構成された光学系２１０−ｄ、ラインセンサ２１０−ｅを含む。照明部材２１０−ａから照射され原稿で反射した反射光は、光学系２１０−ｄを介してラインセンサ２１０−ｅに結像されることで、原稿の読取信号が光電変換される。
【００２０】
図４は、画像読取装置２００の画像処理系の構成を示すブロック図である。センサ２０１は、ＬＥＤなどの光源により原稿画像を照射し、その反射光を受信する、例えばＣＣＤラインセンサである。アンプ２０２は、利得を外部から制御可能な利得制御アンプであり、Ａ／Ｄ変換器２０３は、利得制御アンプ２０２からのアナログ出力信号をデジタル信号に変換する。シェーディング補正部２０７は、Ａ／Ｄ変換器２０３からの出力データをシェーディング補正する。ＣＰＵ２０４は、画像読取装置２００全体を統括的に制御する。記憶部２０５は、原稿台ガラス１０２に加わる押圧が弱い（若しくは、加わっていない）初期状態での利得補正値を記憶する。利得補正演算部２０６は、ＣＰＵ２０４からの命令により利得制御アンプ２０２の利得値を制御する。画像処理部２０８は、シェーディング補正部２０７によりシェーディング補正された画像信号に対して、平滑化処理等の各種画像処理を実行し、後段に出力する。
【００２１】
次に、実施例１における画像読取装置２００の構成について、図５を参照しながら説明する。図５は、画像読取装置２００の原稿台ガラス１０２を上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿突き当て部１０４は、原稿台ガラス１０２上に原稿をセットする基準となり、原稿台ガラス１０２の流し読みガラス側に設けられている。以下、第１の白色基準板１０１の延びる方向と直交する方向を読取動作における副走査方向とする。
【００２２】
一般的に、図８及び図９に示すように、原稿台ガラス１０２に加わる押圧によってガラスに撓みが生じる。図８は、原稿台ガラス１０２の押圧が弱い時の様子を示す図であり、撓みが生じていない状態を示している。また、図９は、原稿台ガラス１０２の押圧が強い時の様子を示す図であり、第１の白色基準板１０１側に撓みが生じている状態を示している。図８及び図９のような違いが生じるのは、一般的に、第１の白色基準板１０１側の辺のガラスの支えが他の３辺よりも構造的に弱いという特徴に因っている。
【００２３】
次に、本実施形態における画像読取装置２００を制御する制御装置１１０の制御動作について、図１、４、５、１０、１２を参照しながら説明する。図１０は、画像読取装置２００の制御処理の手順を示すフローチャートである。図１０に示すフローチャートは、例えば、ＣＰＵ１２０がＲＯＭ１２１に格納された制御プログラムをＲＡＭ１２２に読み出して実行することにより実現される。
【００２４】
まず、第１の白色基準板１０１に対して光源から光を照射し、その反射光をセンサ２０１で受信する。センサ２０１は、受信した反射光から画像信号を出力する。その出力された画像信号は、利得１倍に設定された利得制御アンプ２０２により増幅され、Ａ／Ｄ変換器２０３によりデジタル信号に変換されて記憶部２０５に格納される。記憶部２０５に格納された画像信号は、基準となる白レベルにするため、利得補正演算部２０６によって、利得制御アンプ２０２の出力値を所定の画質の出力値（輝度等）とするような利得補正値を算出する。この利得補正値を第１の利得補正値として記憶部２０５に格納する（Ｓ１００１）。
【００２５】
ＣＰＵ２０４は、第１の利得補正値と、記憶部２０５に予め記憶されている基準利得補正値との差を算出する（Ｓ１００２）。ここで、基準利得補正値とは、原稿台ガラス１０２に加わる押圧が図８に示すように弱い（若しくは、加わっていない）状態で、利得制御アンプ２０２の出力値を所定の出力値とするような利得補正値である。ＣＰＵ２０４は、算出した差が所定の値以上であるか否かを判定する（Ｓ１００３）。ここで、差が所定の値以上であると判定された場合（Ｓ１００３のＹｅｓ）にはＳ１００４に進み、差が所定の値以上でないと判定された場合（Ｓ１００３のＮｏ）にはＳ１００７に進む。Ｓ１００３で用いられる所定の値は、所定の値以下だとそのまま読み取りを行ったとしても画像に影響が出ない値であって、所定の値より大きい場合だとそのまま読み取りを行ったとすると画像に少なくとも影響が出る値とする。
【００２６】
Ｓ１００４において、ＣＰＵ２０４は、原稿台ガラス１０２に加わる押圧が強いと判断し、制御装置１１０に押圧解除を通達するためのコマンドを送信する。制御装置１１０は、ＣＰＵ２０４から押圧解除を通達するためのコマンドを受信すると、操作部１５０のディスプレイに、ユーザに押圧解除を即すための警告画面を表示する（Ｓ１００５）。
【００２７】
図１２は、Ｓ１００５で表示される警告画面１２００の一例を示す図である。図１２に示すように、「原稿台ガラスの押圧を解除して下さい」との警告表示により、ユーザは、原稿台ガラス１０２に置かれた原稿の押圧により読取動作に異常をきたしている（エラーを発生させている）ことを認識することができる。ユーザは、例えば原稿の位置を調整し、再試行ボタン１２０１を押下する。或いは、原稿の読取動作を中止する場合には、中止ボタン１２０２を押下する。
【００２８】
制御装置１１０は、警告画面１２００上で再試行ボタン１２０１が押下されたかを判定する（Ｓ１００６）。ここで、ユーザが再試行ボタン１２０１を押下したと判定された場合（Ｓ１００６のＹ）、Ｓ１００１からの処理を繰り返す。一方、ユーザが中止ボタン１２０２を押下したと判定された場合（Ｓ１００６のＮ）、読取動作を中止し、図１０の処理を終了する。
【００２９】
Ｓ１００３で差が所定の値以上でないと判定された場合（Ｓ１００３のＮｏ）には、シェーディング補正部２０７が、Ａ／Ｄ変換器２０３によりデジタル信号に変換された画像信号に対して、シェーディング補正を行う（Ｓ１００７）。ＣＰＵ２０４は、副走査方向の各位置について画像読取を行い、各画素位置について生成された画像データについて、画像処理部２０８により画像処理を実行して（Ｓ１００８）、図１０の処理を終了する。
【００３０】
［第２の実施形態］
次に、第２の実施形態における画像読取装置２００の構成について、図６を参照しながら説明する。図６は、画像読取装置２００の原稿台ガラス１０２を上から見た図である。第１の白色基準板１０１は、出力画像信号の歪みを補正するシェーディング補正を行うための白基準の役割を果たし、原稿台ガラス１０２に貼り付けられている。流し読みガラス１０３は、自動原稿供給ユニット（ＡＤＦ）２５０から給送された原稿用のガラスである。原稿台ガラス１０２上に原稿をセットする基準となる原稿突き当て部１０４は、原稿台ガラス１０２の流し読みガラス側に配置されている。第２の白色基準板１０５は、流し読みガラス１０３に貼り付けられている。
【００３１】
本実施形態における画像読取装置２００を制御する制御装置１１０の制御動作について、図１、図４、図６、図１１、図１２を参照しながら説明する。図１１は、画像読取装置２００の制御処理の手順を示すフローチャートである。図１１に示すフローチャートは、例えば、ＣＰＵ１２０がＲＯＭ１２１に格納された制御プログラムをＲＡＭ１２２に読み出して実行することにより実現される。
【００３２】
まず、光源は、第１の白色基準板１０１に対して光を照射し、その反射光をセンサ２０１で受信する。センサ２０１は、受信した反射光から画像信号を出力する。その出力された画像信号は、利得１倍に設定された利得制御アンプ２０２により増幅され、Ａ／Ｄ変換器２０３によりデジタル信号に変換されて記憶部２０５に格納される。記憶部２０５に格納された画像信号について基準となる白レベルにするため、利得補正演算部２０６によって、利得制御アンプ２０２の出力値を所定の画質の出力値（輝度等）とするような利得補正値を算出する。この利得補正値を、第１の利得補正値として記憶部２０５に格納する（Ｓ１１０１）。
【００３３】
次に、ＣＰＵ２０４は、第１の利得補正値と記憶部２０５に予め記憶されている基準利得補正値との差を算出する（Ｓ１１０２）。ここで、基準利得補正値とは、図８に示すように原稿台ガラス１０２に加わる押圧が弱い（若しくは、加わっていない）状態で、利得制御アンプ２０２の出力値を所定の出力値とするような利得補正値である。ＣＰＵ２０４は、算出した差が所定の値以上であるか否かを判定する（Ｓ１１０３）。ここで、差が所定の値以上であると判定された場合（Ｓ１１０３のＹｅｓ）にはＳ１１０４に進み、所定の値以上でないと判定された場合（Ｓ１１０３のＮｏ）にはＳ１１１０に進む。ここで、Ｓ１１０３で用いられる所定の値は、所定の値以下だとそのまま読み取りを行ったとしても画像に影響が出ない値であって、所定の値より大きい場合だとそのまま読み取りを行ったとすると画像に少なくとも影響が出る値とする。
【００３４】
Ｓ１１０４において、制御装置１１０は、画像読取ユニット２１０を第２の白色基準板１０５を読み取ることができる位置に移動させる。そして、光源は、第２の白色基準板１０５に対して光を照射し、その反射光をセンサ２０１で受信する。センサ２０１は、受信した反射光から画像信号を出力する。その出力された画像信号は、利得１倍に設定された利得制御アンプ２０２により増幅され、Ａ／Ｄ変換器２０３によりデジタル信号に変換されて記憶部２０５に格納される。記憶部２０５に格納された画像信号について基準となる白レベルにするため、利得補正演算部２０６によって、利得制御アンプ２０２の出力値を所定の画質の出力値（輝度等）とするような利得補正値を算出する。ＣＰＵ２０４は、その利得補正値を第２の利得補正値として記憶部２０５に格納する。
【００３５】
Ｓ１１０５において、ＣＰＵ２０４は、第１の白色基準板１０１に対してＳ１１０１で得られた利得補正値と、第２の白色基準板１０５に対してＳ１１０４で得られた利得補正値との差を取得する。そして、Ｓ１１０６において、ＣＰＵ２０４は、その差が所定の値以上であるか否かを判定する（差判定の一例）。ここで、所定の値以上であると判定された場合（Ｓ１１０６のＹｅｓ）にはＳ１１０７に進み、所定の値以上でないと判定された場合（Ｓ１１０６のＮｏ）にはＳ１１１０に進む。ここで、Ｓ１１０６で使用される所定の値は、Ｓ１１０３で使用される所定の値より大きい。
【００３６】
Ｓ１１０６にて第１の白色基準板１０１から得られる利得補正値と第２の白色基準版１０５から得られる利得補正値との差が所定の値以上であって、原稿台ガラス１０２に加わる押圧が強いと判断される（Ｓ１１０６のＹｅｓ）と、Ｓ１１０７において、制御装置１１０に押圧解除を通達するためのコマンドを送信する。制御装置１１０は、ＣＰＵ２０４から押圧解除を通達するためのコマンドを受信すると、操作部１５０のディスプレイに、ユーザに押圧解除を即すための警告画面を表示する（Ｓ１１０８）。
【００３７】
図１２は、Ｓ１１０７で表示される警告画面１２００の一例を示す図である。図１２に示すように、「原稿台ガラスの押圧を解除して下さい」との警告表示により、ユーザは、原稿台ガラス１０２に置かれた原稿の押圧により読取動作に異常をきたしている（エラーを発生させている）ことを認識することができる。ユーザは、例えば原稿の位置を調整し、再試行ボタン１２０１を押下する。或いは、原稿の読取動作を中止する場合には、中止ボタン１２０２を押下する。
【００３８】
制御装置１１０は、警告画面１２００上で再試行ボタン１２０１のボタンが押下されたかを判定する（Ｓ１１０９）。ここで、ユーザが再試行ボタン１２０１を押下したと判定された場合（Ｓ１１０９のＹ）、Ｓ１１０１からの処理を繰り返す。一方、ユーザが中止ボタン１２０２を押下したと判定された場合（Ｓ１１０９のＮ）、読取動作を中止し、図１１の処理を終了する。
【００３９】
Ｓ１１０３で差が所定の値以上でないと判定された場合には、シェーディング補正部２０７は、Ａ／Ｄ変換器２０３によりデジタル信号に変換された画像信号に対して、シェーディング補正を行う（Ｓ１１１０）。ＣＰＵ２０４は、副走査方向の各位置について画像読取を行い、各画素位置について生成された画像データについて、画像処理部２０８により画像処理を実行して（Ｓ１１１１）、図１１の処理を終了する。
【００４０】
このように、本実施形態においては、Ｓ１１０３での判定結果により第１の白色基準板１０１の撓みが大きいと判断されても、Ｓ１１０６の判定結果により第１の白色基準板１０１と第２の白色基準板１０５との撓みの差が所定の値以上の場合にのみ、ユーザに対して警告表示を行う。第２の白色基準板１０５が設けられている部分は、第１の白色基準板１０１が設けられている部分よりも強度が高い。従って、Ｓ１１０３の検出結果で第１の白色基準板１０１から得られる第１の利得補正値が所定の値以上と判定されても、第２の白色基準板１０５との撓みの差が所定の値より小さい場合には、原稿台ガラス１０２全面が撓んでいる可能性がある。その場合、原稿台ガラス面に加わる押圧に因るものではないため、原稿を取り除くだけではエラーは解除されないので、ユーザに対して図１２に示すような警告表示は行わずに、原稿の読取動作を行う。図１１では、Ｓ１１０６において所定の値以上でないと判定された場合には、Ｓ１１１０以降で原稿の読取処理を行っているが、原稿の読取処理を直ちに行わずに、原稿台ガラス全面の構造上の問題がある等の警告画面を表示するようにしても良い。そして、その場合、例えばユーザからの読取実行の指示を受け付けてから、原稿の読取指示を行うようにしても良い。また、本実施形態においては、第２の白色基準板１０５は、流し読みガラス１０３側に設けられているが、第１の白色基準板１０１より強度が高い他の部分に設けられていても良い。例えば、図７に示すように、原稿台ガラス１０２において、第１の白色基準板１０１と反対側の端部に設けられていても良い。
【００４１】
以上で説明した実施例では、白色基準板から得られる利得補正値と所定の値とを比較することで原稿台ガラスの歪みを判定したが、読取装置が受光する反射光の受光量を所定の値と比較することで原稿台ガラスの歪みを判定してもよい。
【図１】
2015133542.tif 000003
【図２】
2015133542.tif 000004
【図３】
2015133542.tif 000005
【図４】
2015133542.tif 000006
【図５】
2015133542.tif 000007
【図６】
2015133542.tif 000008
【図７】
2015133542.tif 000009
【図８】
2015133542.tif 000010
【図９】
2015133542.tif 000011
【図１０】
2015133542.tif 000012
【図１１】
2015133542.tif 000013
【図１２】
2015133542.tif 000014
【図１３】
2015133542.tif 000015
【図１４】
2015133542.tif 000016